(57)【要約】【課題】監視する設備の機器の故障・メンテナンス時期を自動的に予測できるｗｅｂ監視装置、及びｗｅｂ監視装置を用いた設備機器の監視システムを提供する。【解決手段】出力回路２２、入力回路２１、ＣＰＵ２０、内部メモリ２８、インターネット網１０へ接続する通信ポート２５を具備し、出力回路２２又は入力回路２１を介して接続した設備機器の状態と内部メモリ２８に予め設定された各機器の故障条件、及び／又はメンテナンス条件とに基づいて、ＣＰＵ２０において設備機器の故障時期、及び／又はメンテナンス時期を予測し、通信ポート２５を介してインターネット網１０に接続された情報機器端末３２へ通報する。【選択図】図２
2007233872.tif 000002
【特許請求の範囲】
【請求項１】
出力回路、入力回路、ＣＰＵ、メモリ、インターネット網へ接続する通信ポートを具備し、
前記出力回路又は入力回路を介して接続した設備機器の状態と前記メモリに予め設定された各前記機器の故障条件、及び／又はメンテナンス条件とに基づいて、前記ＣＰＵにおいて前記設備機器の故障時期、及び／又はメンテナンス時期を予測し、前記通信ポートを介してインターネット網に接続された情報機器端末へ通報することを特徴とするＷｅｂ監視装置。
【請求項２】
請求項１に記載のＷｅｂ監視装置において、
前記故障条件、及び／又はメンテナンス条件は外部情報機器端末から設定可能であることを特徴とするＷｅｂ監視装置。
【請求項３】
請求項１又は２に記載の設備機器のＷｅｂ監視装置において、
前記故障条件、及び／又はメンテナンス条件は複数設定可能であることを特徴とするＷｅｂ監視装置。
【請求項４】
請求項１乃至３のいずれか１項に記載のＷｅｂ監視装置において、
前記故障条件、及び／又はメンテナンス条件は、連続イベントとして設定されていることを特徴とするＷｅｂ監視装置。
【請求項５】
請求項１乃至４のいずれか１項に記載のＷｅｂ監視装置は、さらに他の通報装置から前記設備機器の状態に関するデータを送受信する通信ポートを備えることを特徴とするＷｅｂ監視装置。
【請求項６】
マンホールポンプ、給水・排水等の設備機器と、
前記設備機器の入出力状態と予め設定された故障条件、及び／又はメンテナンス条件を記憶するメモリと、該メモリに記憶された設備機器の入出力状態と前記設備機器の故障条件、及び／又はメンテナンス条件とに基づいて、前記設備機器の故障時期、及び／又はメンテナンス時期を予測するＣＰＵとを備えたＷｅｂ監視装置と、
インターネット網に接続された情報機器端末とを備え、
前記情報機器端末の操作・表示器にて設定された、前記設備機器の故障条件、及び／又はメンテナンス条件を、インターネット網を介して前記Ｗｅｂ監視装置のメモリへ書き込むことを特徴とするＷｅｂ監視システム。
【請求項７】
マンホールポンプ、給水・排水等の設備機器の故障条件、及び／又はメンテナンス条件を設定する画面表示処理と、
前記設定された設備機器の故障条件、及び／又はメンテナンス条件を通信回線を介して設備機器に接続された監視機器の記憶装置へ転送する処理と、
前記監視装置の記憶装置に記憶された設備機器の入出力状態と前記設備機器の故障条件、及び／又はメンテナンス条件とに基づいて、監視機器により演算された前記設備機器の故障時期、及び／又はメンテナンス時期の予測結果データを通信回線を介して受信する処理とをさせるための設備装置用コンピュータプログラム。
【発明の詳細な説明】
【技術分野】
【０００１】
本発明は、マンホールポンプ設備、上下水道の給水・排水設備、揚・排水機場設備、タービンや風力発電設備、河川等のゲート設備等の機械設備の各機器をインターネットを使って監視し、その情報を基に設定された条件で機器の故障時期やメンテナンス時期を自動的に予測するＷｅｂ監視装置、該Ｗｅｂ監視システム、設備装置用コンピュータプログラムに関するものである。
【背景技術】
【０００２】
マンホールポンプ設備、上下水道の給水・排水設備、揚・排水機場設備、タービンや風力発電設備、河川等のゲート設備等の機械設備の機器を管理するにあたって、動力回路と通報装置を備えた遠方監視装置は既に提案されている。例えば、特許文献１に記載の通報装置は、複数のマンホールポンプにそれぞれ設置される通報装置間にそれぞれ設置される通報装置間を内線電話網により接続すると共に、いずれかの通報装置を親機、それ以外の通報装置を子機として親機を電話回線に接続し、親機が有する内線制御機能と、それぞれの通報装置が有する回線切替手段によって何れか一つの通報装置を内線電話網を介して電話回線に接続するようにしている。親機と各子機間は内線電話網の他にデータ通信網によって連結され、親機はデータ通信網を通じて通信装置の何れを電話回線に接続するかを制御するようになっている。
【特許文献１】特開２００３−３７８５８号公報
【発明の開示】
【発明が解決しようとする課題】
【０００３】
上記従来の通報装置を備えた遠方監視装置では、機器の寿命やメンテナンス時期の管理はできず、機器の寿命やメンテナンス時期の管理は定期点検時や故障した時に初めて発見されるケースが多かった。また、設備ごとに機器の稼動状況が違うため、専門の知識をもった調査員による点検が必要となり、費用が増大するという問題があった。
【０００４】
本発明は上述の点に鑑みてなされたもので、監視する設備の機器の故障・メンテナンス時期を自動的に予測できるＷｅｂ監視装置、Ｗｅｂ監視システム、及び設備装置用コンピュータプログラムを提供することを目的とする。
【課題を解決するための手段】
【０００５】
上記課題を解決するため請求項１に記載の発明は、出力回路、入力回路、ＣＰＵ、メモリ、インターネット網へ接続する通信ポートを具備し、前記出力回路又は入力回路を介して接続した設備機器の状態と前記メモリに予め設定された各前記機器の故障条件、及び／又はメンテナンス条件とに基づいて、前記ＣＰＵにおいて前記設備機器の故障時期、及び／又はメンテナンス時期を予測し、前記通信ポートを介してインターネット網に接続された情報機器端末へ通報することを特徴とする。
【０００６】
請求項２に記載の発明は、請求項１に記載のＷｅｂ監視装置において、前記故障条件、及び／又はメンテナンス条件は外部情報機器端末から設定可能であることを特徴とする。
【０００７】
請求項３に記載の発明は、請求項１又は２に記載の設備機器のＷｅｂ監視装置において、  前記故障条件、及び／又はメンテナンス条件は複数設定可能であることを特徴とする。
【０００８】
請求項４に記載の発明は、請求項１乃至３のいずれか１項に記載のＷｅｂ監視装置において、前記故障条件、及び／又はメンテナンス条件は、連続イベントとして設定されていることを特徴とする。
【０００９】
請求項５に記載の発明は、請求項１乃至４のいずれか１項に記載のＷｅｂ監視装置は、さらに他の通報装置から前記設備機器の状態に関するデータを送受信する通信ポートを備えることを特徴とする。
【００１０】
請求項６に記載の発明は、マンホールポンプ、給水・排水等の設備機器と、前記設備機器の入出力状態と予め設定された故障条件、及び／又はメンテナンス条件を記憶するメモリと、該メモリに記憶された設備機器の入出力状態と前記設備機器の故障条件、及び／又はメンテナンス条件とに基づいて、前記設備機器の故障時期、及び／又はメンテナンス時期を予測するＣＰＵとを備えたＷｅｂ監視装置と、インターネット網に接続された情報機器端末とを備え、前記情報機器端末の操作・表示器にて設定された、前記設備機器の故障条件、及び／又はメンテナンス条件を、インターネット網を介して前記Ｗｅｂ監視装置のメモリへ書き込むことを特徴とするＷｅｂ監視システムにある。
【００１１】
請求項７に記載の発明は、マンホールポンプ、給水・排水等の設備機器の故障条件、及び／又はメンテナンス条件を設定する画面表示処理と、前記設定された設備機器の故障条件、及び／又はメンテナンス条件を通信回線を介して設備機器に接続された監視機器の記憶装置へ転送する処理と、前記監視装置の記憶装置に記憶された設備機器の入出力状態と前記設備機器の故障条件、及び／又はメンテナンス条件とに基づいて、監視機器により演算された前記設備機器の故障時期、及び／又はメンテナンス時期の予測結果データを通信回線を介して受信する処理とをさせるための設備装置用コンピュータプログラムにある。
【発明の効果】
【００１２】
請求項１乃至５に記載の発明によれば、監視する設備の機器の故障・メンテナンス時期を自動的に予測できる。
【００１３】
請求項６に記載の発明によれば、マンホールポンプ、給水・排水等の設備機器の故障・メンテナンス時期を自動的に予測できる。また、情報機器端末の操作・表示器にて、設備機器の故障条件、及び／又はメンテナンス条件をＷｅｂ監視装置のメモリへ書き込むことができる。
【００１４】
請求項７に記載の発明によれば、コンピュータにより画面表示処理と、監視機器の記憶装置へ転送する処理と、予測結果データを受信する処理が実行できる。
【発明を実施するための最良の形態】
【００１５】
以下、本発明の実施の形態例を図面に基づいて説明する。本実施形態例では、複数のマンホールポンプ設備のポンプ等の機器を監視し、該機器の交換時期（故障時期）、メンテナンス時期を予知するＷｅｂ監視装置を備え、Ｗｅｂ監視装置で予知した機器の故障時期（交換時期）、メンテナンス時期をインターネット網を介して通知する監視システムを例に説明する。図１は本監視システムの全体構成例を示す図である。
【００１６】
図１において、１はマンホール内にポンプ（水中ポンプ）Ｐ等を設置したマンホール設備であり、各マンホールポンプ設備１（１−１〜１−５）はそれぞれは制御盤２（２−１〜２−５）を備えている。各制御盤２にはＷｅｂ監視装置３（３−１〜３−５）、接続装置４（４−１〜４−５）が搭載されている。接続装置４としては、ＩＳＤＮ回線の場合はＤＳＵとダイアルアップルータ、ＡＤＳＬ回線の場合はＡＤＳＬモデムとブロードバンドルータ、光回線の場合は終端装置とブロードバンドルータ、ＣＡＴＶ回線の場合はＣＡＴＶ接続装置となる。
【００１７】
各制御盤２のＷｅｂ監視装置３は接続装置４を介して、例えばＩＳＤＮ回線５−１，５−２、ＡＤＳＬ回線６、光回線７、ＣＡＴＶ回線８を介してＩＳＰ（インターネット・サービス・プロバイダ）９、インターネット網１０に接続されている。各Ｗｅｂ監視装置３でマンホールポンプ設備１のポンプ等の機器の故障時期（交換時期）、メンテナンス時期を予知した場合は、インターネット網１０に接続されている監視施設１１の監視パソコン１１−１、自宅や移動先１２のノートパソコン１２−１、携帯電話１２−２、ＰＤＡ１２−３に、予知情報を通報（画面表示あるいはＥメール通報）するようになっている。
【００１８】
図２は、Ｗｅｂ監視装置と既存通報装置と外部情報機器端末の接続構成を示す図である。Ｗｅｂ監視装置３はＣＰＵ（中央演算装置）２０、入力回路２１、出力回路２２、ＲＧＢポート２３、ＵＳＢポート２４、通信ポート（ＬＡＮ）２５、通信ポート２６、タイマ（時間）カウンタ２７、内部メモリ２８、及び外部メモリ接続回路２９を備えている。該外部メモリ接続回路２９には、コンパクトフラッシュ（登録商標）メモリ等の記憶媒体３４が接続できるようになっている。
【００１９】
入力回路２１はマンホール設備１のマンホール内に設置した水位センサ等からの各種デジタルセンサ信号を入力するデジタル入力回路や圧力センサ等のアナログ信号を入力するアナログ入力回路からなる。出力回路２２はポンプの運転・停止等を行うデジタル出力回路である。ＣＰＵ２０はデジタル・アナログ入出力信号等を基に故障・メンテナンス時期の判定のための演算等を行う演算装置である。内部メモリ２８は入力回路２１及び出力回路２２を介して入出力されたデジタル・アナログ入出力の測定値、デジタル・アナログ入出力の割付設定条件及び故障条件を記憶するメモリである。
【００２０】
Ｗｅｂ監視装置３にはＲＧＢポート２３を介して外部情報機器端末３１のデータ表示部３１−１が接続され、ＵＳＢポート２４を介して外部情報機器端末３１の操作部３１−２が接続されている。通信ポート（ＬＡＮ）２５、インターネット１０、通信ポート（ＬＡＮ）３３を介して外部情報機器端末３２が接続されている。外部情報機器端末３１のデータ表示部３１−１にはデジタル・アナログ入出力の入出力割付設定画面３１−１ａ、故障条件設定画面３１−１ｂが表示され、操作部３１−２のキーボード３１−２ａ、マウス３１−２ｂを操作することにより、入出力割付設定画面３１−１ａ、故障条件設定画面３１−１ｂの設定を行うことができる。また、通信ポート２を介してパソコン等の情報機器端末３５−２を接続することで、外部情報機器端末３１の操作部３１−２と同様に入出力割付設定画面、故障条件設定画面の設定を行なうことができる。
【００２１】
また、外部情報機器端末３２のデータ表示部３２−１には、デジタル・アナログ入出力の入出力割付設定画面３２−１ａ、故障条件設定画面３２−１ｂが表示され、操作部３２−２のキーボード３２−２ａ、マウス３２−２ｂを操作することにより、入出力割付設定画面３２−１ａ、故障条件設定画面３２−１ｂの設定を行うことができる。
【００２２】
上記デジタル・アナログ入出力の入出力割付設定画面の設定データやデジタル・アナログ入出力の入出力割付設定画面の設定データはＷｅｂ監視装置３に送られ、内部メモリ２８に記憶される。
【００２３】
外部メモリ接続回路２９は所定のタイミングで取得したデジタル・アナログ入出力データを内部メモリ２８から受け取り（転送）、コンパクトフラッシュ（登録商標）メモリ等の記憶媒体３４に記憶する。タイマカウンタ２７は接点入出力やアナログ入力の動作時間（ポンプ等の機器の運転時間）を計測するタイマ、及び運転回数をカウントするカウンタである。通信ポート２６は既存通報装置３５−１又は、パソコン３５−２とＷｅｂ監視装置３を接続するための通信ポートである。
【００２４】
図３は設備の機器の交換時期・メンテナンス時期の通知機能の処理フローの一例を示す図である。図３において、使用期間の監視であるか否かを判断し（ステップＳＴ１）、Ｙｅｓの場合、設定時間の経過か否かを判断し（ステップＳＴ２）、Ｙｅｓの場合通報する。前記ステップＳＴ１で、Ｎｏの場合、条件による交換時期・メンテナンス時期の監視か否かを判断し（ステップＳＴ３）、Ｎｏ場合、連続イベント（後に詳述）の監視か否かを判断し（ステップＳＴ４）、Ｙｅｓの場合、イベントが設定通り順番に発生していない場合か否かを判断し（ステップＳＴ５）、Ｙｅｓの場合（設定通り順番に発生していない場合）は通報する。
【００２５】
前記ステップＳＴ３において、Ｙｅｓ即ち条件による交換時期・メンテナンス時期の監視である場合、動作時間を確認か（ステップＳＴ６）、動作回数の確認か（ステップＳＴ７）、イベントの発生確認か（ステップＳＴ８）、アナログの監視か（ステップＳＴ９）を判断する。そして動作時間の確認である場合は動作時間が設定値以上かを判断（ステップＳＴ１０）、Ｙｅｓの場合はステップＳＴ１７に移行し、動作回数の確認である場合は動作回数が設定値以上かを判断し（ステップＳＴ１１）、Ｙｅｓの場合はステップＳＴ１７に移行し、イベントの発生確認の場合は数個の設定したイベントが設定時間以内に設定回数発生したかを判断し（ステップＳＴ１２）、Ｙｅｓの場合はステップＳＴ１７に移行する。
【００２６】
アナログ監視の場合は、上下限の場合かを判断し（ステップＳＴ１３）、Ｎｏの場合は更に範囲指定の場合か（ステップＳＴ１４）を判断し、上下限の場合でアナログ値が設定値を設定時間内に設定回数上回るか下回った場合（ステップＳＴ１５）と、範囲指定の場合でアナログ値が設定範囲を設定時間内に設定回数逸脱した場合（ステップＳＴ１６）に、ステップＳＴ１７に移行する。
【００２７】
ステップＳＴ１７では、１つの条件が選択され、１つの情報が入力された場合かを判断し、Ｙｅｓの場合は通報し、Ｎｏの場合はステップ１８に移行する。ステップＳＴ１８では、２つの条件が選択され、２つの情報が入力された場合かを判断し、Ｙｅｓの場合は通報し、Ｎｏの場合はステップ１９に移行する。ステップＳＴ１９では、３つの条件が選択され、３つの情報が入力された場合かを判断し、Ｙｅｓの場合は通報し、Ｎｏの場合はステップ２０に移行する。ステップＳＴ２０では、４つの条件が選択され、４つの情報が入力された場合かを判断し、Ｙｅｓの場合は通報し、Ｎｏの場合はステップ１７に移行する。また、前記ステップＳＴ４でＮｏ、即ち連続イベントの監視で無い場合と、前記ステップＳＴ６、ＳＴ７、ＳＴ８、ＳＴ９において全てがＮｏの場合リターンする。
【００２８】
図４はマンホールポンプ設備１と制御盤２の構成例を示す図である。Ｗｅｂ監視装置３には制御回路４０から、運転停止出力信号４７、マンホール１ａ内の水位を検出する水位センサ４１からのアナログ検知信号が変換器４２でデジタル信号に変換された水位検知信号４９、モータポンプ４３のポンプ部の軸封部の過熱・浸水を検知する過熱・浸水センサ４４の過熱・浸水検知信号４５、モータポンプ４３の３要素検知リレー等からのモータ部の過負荷、欠相、逆相等の３要素検知信号４６、モータポンプ４３の運転電流値４８等の各種入出力信号が接続される。
【００２９】
Ｗｅｂ監視装置３のＣＰＵ２０は、タイマカウンタ２７で計測されたポンプ運転時間・運転回数の積算値と合わせて内部メモリ２８に設定記憶されている故障条件、メンテナンス条件と比較することで、モータポンプ４３の故障時期、メンテナンス時期を予測する。この予測情報をＬＡＮポート２５を介してインターネット網１０に接続することで、該インターネット網１０に接続された外部情報機器端末（図１の監視施設１１の監視パソコン１１−１、自宅や移動先１２のノートパソコン１２−１、携帯電話１２−２、ＰＤＡ１２−３）３２の上で確認したり、Ｅメールで通知することができる。
【００３０】
図５はマンホールポンプ設備１と制御盤２の他構成例を示す図である。ここでは既存通報装置３５−１に、図４でＷｅｂ監視装置３が取り込んだと同じ情報が取り込まれており、該既存通報装置３５−１からＷｅｂ監視装置３にシリアル通信で該情報を伝送し、Ｗｅｂ監視装置３でモータポンプ４３の故障時期、メンテナンス時期を予測する。この予測情報を上記と同様、ＬＡＮポート２５を介してインターネット網１０に接続することで、該インターネット網１０に接続された外部情報機器端末（図１の監視施設１１の監視パソコン１１−１、自宅や移動先１２のノートパソコン１２−１、携帯電話１２−２、ＰＤＡ１２−３）３２の画面上で確認したり、Ｅメールで通知することができる。
【００３１】
上記のように、既存通報装置３５−１からシリアル通信でデータをＷｅｂ監視装置３に伝送し、該Ｗｅｂ監視装置３からこのデータをインターネット網１０を介して外部情報機器端末３２に伝送することにより、既存通報装置３５−１からアナログ電話回線網を使って伝送するのに比べて、より高速な通信を行うことができる。加えて、Ｗｅｂ監視装置３はシリアル通信で取得したデータを基に、図４の場合と同様、モータポンプ４３の故障時期、メンテナンス時期を予測することができる。
【００３２】
上記マンホールポンプ設備において、故障条件設定画面にて設定可能なイベントとしては以下が挙げられる。
（１）ポンプモータ
ポンプモータに関するイベントの種類としては、例えば、運転時間、運転回数、電流値、振動、ポンプ部の軸受の過熱状態の出力回数や継続時間或いは所定期間内での発生頻度、ポンプ部軸封部への浸水検知信号、潤滑油の交換、パッキンの交換等がある。それぞれ回数、時間を内部のタイマカウンタ２７にて計測し、それぞれの設計寿命等の仕様に応じて個別かつ複数に設定することができる。
【００３３】
（２）制御回路
制御回路に関するイベントの種類としては、例えば、ポンプモータの発停を行うマグネットコンタクタの動作回数や時間、電源遮断時にタイマカウンタの時刻を保持するためのバッテリ、停電時に装置全体に電源を供給する為の蓄電池や無停電電源装置等の補助電源の寿命、Ｗｅｂ監視装置３のＣＰＵ２０、通信回路（入力回路２１、出力回路２２、ＲＧＢポート２３、ＵＳＢポート２４、通信ポート（ＬＡＮ）２５、通信ポート２６その他へ電源を供給する図示しない内部スイッチング電源の寿命等がある。
【００３４】
（３）センサ入力
センサ関連のイベントとしては、水位センサの使用時間、異常水位等の接点信号、又は水位の所定時間あたりの変動幅（％）、後述する水位センサの異常の発生回数などがある。
【００３５】
（４）ポンプ周辺設備
ポンプ周辺設備関連のイベントとしては、制御盤内等の換気ファン、フィルター等がある。なお、水道設備のポンプ周辺設備関連のイベントとしては、その他に滅菌装置、濁度計等がある。
【００３６】
上述したイベントは、回数・時間を内部タイマ又はカウンタにて計時し、それぞれの設計寿命に応じて個別かつ複数に設定することができる。また、アナログ入力には上下限の両方又は個別に閾値を設けて、その閾値を越えたことを一つの条件として使用することができる。また、例えば上述したポンプの運転回数又は運転時間、或いはその両方の情報を組合せて一つのイベントとして設定することもできる。また、所定期間に何回のイベントが発生したかをカウントし、その回数が所定値に達した場合、故障警報とするような設定をすることも可能である。
【００３７】
上記のようにＷｅｂ監視装置３の内部に備えるデジタル・アナログの入力回路２１に、上述の各種機器を接続し、タイマカウンタ２７により時間及び頻度を計時し、それらの条件演算をＣＰＵ２０で行うことにより、ユーザはＷｅｂ監視装置３或いはＬＡＮポート２５を介したインターネット網１０に接続された、任意の場所のパソコン等の外部情報機器端末３２にて、任意に接続機器の設定（割付）及び複数の故障条件を設定することができる。
【００３８】
次にアラーム設定画面内の連続イベントの設定例を、マンホール内に設置した水位センサの動作を例に説明する。水位センサ４１（図４、図５参照）が、図６（ａ）に示すように、マンホール内の低水位ＬＷＬを検知するフリクトスイッチ４１−１、高水位ＨＷＬを検知するフリクトスイッチ４１−２、高高水位ＨＨＷＬを検知するフリクトスイッチ４１−３で構成されている場合、通常であれば水面が上昇するにつれてフリクトスイッチ４１−１、４１−２、４１−３の順に動作する。
【００３９】
しかしながら、水位が上昇し、高高水位ＨＨＷＬに達しフリクトスイッチ４１−３が動作しているにも係らず図６（ｂ）に示すように、高水位ＨＷＬを検知するフリクトスイッチ４１−２が動作しない場合、異常な状態として水位センサのメンテナンス又は交換が必要である。このような場合に警報を出す仕組みとして連続イベントを設定する。
【００４０】
また、水位センサに限らず、複数の圧力設定に応じた接点出力を備えた圧力スイッチ等が、所定の順序、論理（オン、オフ）で接点が入力される、あるいはリニアにアナログ信号入力されることが予めわかっているような場合に、アラーム設定画面でその順序を設定することで、より高度なアラーム条件をユーザが作成できる。
【００４１】
図７は外部情報機器端末のデータ表示部に表示される故障予知・メンテナンス時期通報設定画面例を示す図である。図示するように、故障予知・メンテナンス時期通報設定画面には、イベントの名称６１、使用時間の監視６２、条件による故障予知・メンテナンス時期の監視６３、連続イベントの監視６４、通報設定６５、イベントの復帰処理６６の各領域が設定されている。
【００４２】
上記実施形態例では、マンホール設備１にＷｅｂ監視装置３を設置し、複数のマンホール設備のポンプ等の機器をインターネット網１０を介して監視する監視システムを例に説明したが、これに限定されるものではなく、本Ｗｅｂ監視装置は、例えば上下水道の給水・排水設備、揚・排水機場、タービンや風力による発電装置、河川等のゲート設備等の機械設備に、Ｗｅｂ監視装置を設置し、設備の機器をインタネット網を介して監視する監視システムに広く利用できる。
【００４３】
以上、本発明の実施形態を説明したが、本発明は上記実施形態に限定されるものではなく、特許請求の範囲、及び明細書と図面に記載された技術的思想の範囲内において種々の変形が可能である。
【図面の簡単な説明】
【００４４】
【図１】本発明に係るＷｅｂ監視装置を用いた本監視システムの全体構成例を示す図である。
【図２】本発明に係るＷｅｂ監視装置の構成例を示す図である。
【図３−１】本発明に係るＷｅｂ監視装置による設備機器の交換時期・メンテナンス時期の通知機能の処理フローの一例を示す図である。
【図３−２】本発明に係るＷｅｂ監視装置による設備機器の交換時期・メンテナンス時期の通知機能の処理フローの一例を示す図である。
【図４】マンホールポンプ設備と制御盤の構成例を示す図である。
【図５】マンホールポンプ設備１と制御盤２の構成例を示す図である。
【図６】アラーム設定画面内の連続イベントの設定例を示す図である。
【図７】外部情報機器端末のデータ表示部に表示される故障予知・メンテナンス時期通報設定画面例を示す図である。
【符号の説明】
【００４５】
１      マンホールポンプ設備
２      制御盤
３      Ｗｅｂ監視装置
４      接続装置
５      ＩＳＤＮ回線
６      ＡＤＳＬ回線
７      光回線
８      ＣＡＴＶ回線
９      ＩＳＰ（インターネット・サービス・プロバイダ）
１０    インターネット網
１１    監視施設
１２    自宅や移動先
２０    ＣＰＵ（中央演算装置）
２１    入力回路
２２    出力回路
２３    ＲＧＢポート
２４    ＵＳＢポート
２５    通信ポート（ＬＡＮ）
２６    通信ポート
２７    タイマ（時間）カウンタ
２８    内部メモリ
２９    外部メモリ接続回路
３１    外部情報機器端末
３２    外部情報機器端末
３３    通信ポート（ＬＡＮ）
３４    記憶媒体
３５    既存通報装置又は、情報機器端末（パソコン等）
４０    制御回路
４１    水位センサ
４２    変換器
４３    モータポンプ
４４    過熱・浸水センサ
４５    過熱・浸水検知信号
４６    ３要素検知信号
４７    運転停止出力信号
４９    水位検知信号
【図１】
2007233872.tif 000003
【図２】
2007233872.tif 000004
【図３−１】
2007233872.tif 000005
【図３−２】
2007233872.tif 000006
【図４】
2007233872.tif 000007
【図５】
2007233872.tif 000008
【図６】
2007233872.tif 000009
【図７】
2007233872.tif 000010